(57)【特許請求の範囲】
【請求項１】
熱源機と、床暖房放熱体と、配管穴を設けた下地材と、該床暖房放熱体内に温水を移送する内部配管と、該熱源機から該床暖房放熱体に温水を移送する温水供給用外部配管と、該床暖房放熱体から該熱源機に温水を移送する温水排出用外部配管と、該配管穴の位置において該温水供給用外部配管と該内部配管とを接続する第一継手と、該温水排出用外部配管と該内部配管とを接続する第二継手とを有する床暖房装置を施工する際に該継手が該配管穴に落下するのを防止する治具であって、
厚さが１ｍｍ以下で、長さおよび幅が該配管穴の直径よりも大きいシート状物であり、
第一継手および第二継手が落下しない大きさの穴または切欠きを有することを特徴とする床暖房放熱体用継手の落下防止具。
【請求項２】
前記穴が、第一継手および第二継手の垂直部を通すが、第一継手および第二継手の水平部を通さない大きさであることを特徴とする請求項１に記載の床暖房放熱体用継手の落下防止具。
【請求項３】
前記シート状物が、前記穴といずれかの辺との間にスリットを形成したものであることを特徴とする請求項１または２に記載の床暖房放熱体用継手の落下防止具。
【請求項４】
前記切欠きが、第一継手および第二継手の垂直部を通すが、第一継手および第二継手の水平部を通さない大きさであることを特徴とする請求項１に記載の床暖房放熱体用継手の落下防止具。
【請求項５】
前記切欠きが、前記シート状物の向かい合う二つの辺にそれぞれ一つずつ形成されていることを特徴とする請求項１または４に記載の床暖房放熱体用継手の落下防止具。
【請求項６】
前記穴または前記切欠きが、第一継手および第二継手が接触しない位置に形成されていることを特徴とする請求項１から５までのいずれかに記載の床暖房放熱体用継手の落下防止具。
【請求項７】
熱源機と、床暖房放熱体と、配管穴を設けた下地材と、該床暖房放熱体内に温水を移送する内部配管と、該熱源機から該床暖房放熱体に温水を移送する温水供給用外部配管と、該床暖房放熱体から該熱源機に温水を移送する温水排出用外部配管と、該配管穴の位置において該温水供給用外部配管と該内部配管とを接続する第一継手、ならびに、該温水排出用外部配管と該内部配管とを接続する第二継手を有する床暖房装置を施工する際に、
該配管穴の一部をシート状物で塞ぐことにより、第一継手の垂直部を通すが、第一継手の水平部を通さない第一穴と、第二継手の垂直部を通すが、第二継手の水平部を通さない第二穴とを形成することを特徴とする床暖房装置の施工方法。
【発明の詳細な説明】
【技術分野】
【０００１】
本発明は、床暖房放熱体用継手（以下、単に「継手」ともいう。）の落下防止具および床暖房装置の施工方法に関する。
【背景技術】
【０００２】
図１〜図３に示すように、床暖房装置は、例えば、下地材１上に載置した床暖房放熱体２と、熱源機（図示省略）とを接続することにより施工される。そして、床暖房放熱体２上には、床材３が施工され、床暖房放熱体２は、複数の床暖房パネル２０ａ、２０ｂにより構成されており、それぞれの床暖房パネル２０ａ、２０ｂには、内部配管２ａ、２ｂ、２ｃ、２ｄが内蔵されており、熱源機（図示省略）で温められた温水は、例えば、内部配管２ａから床暖房パネル２０ａ内に導入され、内部配管２ｂから床暖房パネル２０ａから排出される。
【０００３】
例えば、内部配管２ｂおよび内部配管２ｄをタケノコ継手（図４（ｃ）参照）で接続し、内部配管２ａおよび温水供給用外部配管（図示省略）と、内部配管２ｃと温水排出用外部配管（図示省略）とをそれぞれエルボ継手（図４（ｂ）参照）で接続すると、内部配管２ａから導入された温水は、床暖房パネル２０ａ内を流通し、内部配管２ｂおよび内部配管２ｄを介して、床暖房パネル２０ｂに導入され、最終的に、内部配管２ｃから排出され、下地材１の下部にある外部配管を通って、熱源機（図示省略）に移送され、再加熱される。以下、このケースを「施工例１」という。
【０００４】
例えば、チーズ継手（図４（ａ）参照）を用いて、内部配管２ａおよび内部配管２ｃを温水供給用外部配管（図示省略）と接続し、同じく、チーズ継手（図４（ａ）参照）を用いて、内部配管２ｂおよび内部配管２ｄを温水排出用外部配管（図示省略）と接続することも可能である。この場合、熱源機（図示省略）で温められた温水は、例えば、内部配管２ａおよび内部配管２ｃからそれぞれ床暖房パネル２０ａおよび床暖房パネル２０ｂ内に導入され、両床暖房パネル内を流通した後、それぞれ内部配管２ｂおよび内部配管２ｄから排出され、施工例１と同様、下地材１の下部にある外部配管を通って、熱源機（図示省略）に移送され、再加熱される。以下、このケースを「施工例２」という。
【０００５】
図４（ａ）〜（ｃ）に示すように、いずれの継手も、水平部４ａを有しており、水平部４ａに内部配管との接続部４ｃを有している。また、図４（ａ）および図４（ｂ）に示すように、チーズ継手およびエルボ継手は、垂直部４ｂを有しており、その下部に外部配管との接続部４ｄを有している。
【０００６】
図５に示すように、通常の床暖房装置の施工方法においては、予め、下地材１にはそれぞれの継手４に対応するように配管穴１ａが設けられており、継手４の垂直部４ｂを配管穴１ａに挿入した状態で、継手４の接続部４ｃに床暖房放熱体２内の内部配管（図示省略）を接続し、継手４の接続部４ｄに外部配管５ａ、５ｂを接続することにより行われる（例えば、特許文献１の図４、特許文献２の図１４、特許文献３の図６など参照）。通常、継手の接続部４ｄの外径は、２０ｍｍ程度であり、下地材には３５ｍｍ程度の内径を有する配管穴１ａが設けられる。
【先行技術文献】
【特許文献】
【０００７】
【特許文献１】特開２００７−１３９３７８号公報
【特許文献２】特開２００６−３８３６７号公報
【特許文献３】特開２００４−３３２９５７号公報
【発明の概要】
【発明が解決しようとする課題】
【０００８】
図５に示される施工法においては、基本的に、配管穴１ａを二つ設け、それぞれの配管穴１ａに二本の継手４の垂直部４ｂを挿入し、下地材１の下部に突出させた状態で、接続部４ｄに外部配管５ａ、５ｂを接続する必要がある。このため、作業員が下地材１の下に潜り込んだ状態で作業する必要がある。既築物件のリフォームの場合には、既設のフロアを廃棄するなど、下地部分のやり直しが必要になる。
【０００９】
ここで、継手は、温水供給用配管を接続するための継手および温水排出用配管を接続するための継手の少なくとも二本必要であるが、図５に示される施工法のように、２本の継手それぞれに対応する配管穴を空けるのではなく、一つの大きい配管穴（人の拳の出し入れが可能な大きさ。内径５０〜９０ｍｍ程度、典型的には８０ｍｍ程度。）を設け、その配管穴を介して、２本の継手と２本の外部配管とを接続する施工法を採用するのがよい。以下、この施工法について説明する。
【００１０】
図６に示す施工法においては、例えば、予め下地材に配管穴１ａを空け、そこに、下地材上方から外部配管５を挿入し、下地材下方の空間内を通じて、熱源機（図示しない）まで送り、接続する。そして、図７に示すように、外部配管５は、継手（図に示す例ではチーズ継手）４に接続された状態で、下地材１の上部で保持され、図８に示すように、床暖房放熱体２内の内部配管（図示省略）に接続される。図７に示すように、継手の垂直部には、通常、遮熱管６が巻附けられている。なお、この施工法において、配管穴は、約６．６ｍ2（３尺×６尺サイズの床暖房パネル４枚相当）あたりに一つ設けることのが一般的である。床暖房フロアの施工面積が大きく、配管穴を二つ以上設ける場合でも、それぞれの穴の外郭同士が４０ｍｍ以上離れるようにすることが必要である。
【００１１】
この施工法を採用すれば、リフォーム時に床暖房フロアを施工する場合など、下地材の下部に作業員がもぐりこむ空間がない場合においても、床暖房フロアを施工できるというメリットがある。
【００１２】
しかし、この施工法では、図７に示すように、比較的水平部が長いチーズ継手においても、継手４の水平部の長さが配管穴１ａの内径と同程度であるため、継手４が施工途中に継手４が配管穴から落下することがある。また、図８に示すように、全ての配管を接続し、施工が完了した後、継手４が配管穴１ａ上部でほとんど支えがない状態にあるため、継手４の接続部４ｃと内部配管（図示省略）との間に負荷がかかる。
【００１３】
本発明は、下地材に比較的大きな配管穴を設け、その配管穴を介し、２本の継手によって２本の内部配管と２本の外部配管とを接続する施工法における施工時に、継手が該配管穴に落下するのを防止する、床暖房放熱体用継手の落下防止具および床暖房装置の施工方法を提供することを目的とする。
【課題を解決するための手段】
【００１４】
本発明は、下記の（１）〜（６）に示す床暖房放熱体用継手の落下防止具および下記の（７）に示す床暖房装置の施工方法を要旨とする。
【００１５】
（１）熱源機と、床暖房放熱体と、配管穴を設けた下地材と、該床暖房放熱体内に温水を移送する内部配管と、該熱源機から該床暖房放熱体に温水を移送する温水供給用外部配管と、該床暖房放熱体から該熱源機に温水を移送する温水排出用外部配管と、該配管穴の位置において該温水供給用外部配管と該内部配管とを接続する第一継手と、該温水排出用外部配管と該内部配管とを接続する第二継手とを有する床暖房装置を施工する際に該継手が該配管穴に落下するのを防止する治具であって、厚さが１ｍｍ以下で、長さおよび幅が該配管穴の直径よりも大きいシート状物であり、
第一継手および第二継手が落下しない大きさの穴または切欠きを有する、床暖房放熱体用継手の落下防止具。
【００１６】
（２）前記穴が、第一継手および第二継手の垂直部を通すが、第一継手および第二継手の水平部を通さない大きさである、上記（１）の床暖房放熱体用継手の落下防止具。
【００１７】
（３）記シート状物が、前記穴といずれかの辺との間にスリットを形成したものである、上記（１）および（２）の床暖房放熱体用継手の落下防止具。
【００１８】
（４）前記切欠きが、第一継手および第二継手の垂直部を通すが、第一継手および第二継手の水平部を通さない大きさである、上記（１）の床暖房放熱体用継手の落下防止具。
【００１９】
（５）前記切欠きが、前記シート状物の向かい合う二つの辺にそれぞれ一つずつ形成されている、上記（１）〜（４）のいずれかの床暖房放熱体用継手の落下防止具。
【００２０】
（６）前記穴または前記切欠きが、第一継手および第二継手が接触しない位置に形成されている、上記（１）〜（５）のいずれかの床暖房放熱体用継手の落下防止具。
【００２１】
（７）熱源機と、床暖房放熱体と、配管穴を設けた下地材と、該床暖房放熱体内に温水を移送する内部配管と、該熱源機から該床暖房放熱体に温水を移送する温水供給用外部配管と、該床暖房放熱体から該熱源機に温水を移送する温水排出用外部配管と、該配管穴の位置において該温水供給用外部配管と該内部配管とを接続する第一継手、ならびに、該温水排出用外部配管と該内部配管とを接続する第二継手を有する床暖房装置を施工する際に、該配管穴の一部をシート状物で塞ぐことにより、第一継手の垂直部を通すが、第一継手の水平部を通さない第一穴と、第二継手の垂直部を通すが、第二継手の水平部を通さない第二穴とを形成する、床暖房装置の施工方法。
【発明の効果】
【００２２】
本発明によれば、下地材に比較的大きな配管穴を設け、その配管穴を介し、２本の継手によって２本の内部配管と２本の外部配管とを接続する施工法における施工時に、継手が該配管穴に落下するのを防止することができる。また、この施工法による施工後にかかる継手の接続部と内部配管との間の負荷を軽減することができる。
【図面の簡単な説明】
【００２３】
【図１】床暖房装置の施工例を示す図
【図２】床暖房フロアの施工例を示す図
【図３】床暖房放熱体の例を示す図
【図４】継手の例を示す図  （ａ）チーズ継手  （ｂ）エルボ継手  （ｃ）タケノコ継手
【図５】床暖房装置の施工例を示す断面図
【図６】他の床暖房装置の施工例を示す図
【図７】他の床暖房装置の施工例を示す図
【図８】他の床暖房装置の施工例を示す断面図
【図９】本発明に係る床暖房放熱体用継手の例を示す図
【図１０】本発明に係る床暖房装置の施工方法の例を示す図
【発明を実施するための形態】
【００２４】
本発明に係る床暖房放熱体用継手の落下防止具は、図１〜４、図６〜８に示すように、熱源機（図示省略）と、床暖房放熱体２と、配管穴１ａを設けた下地材１と、床暖房放熱体２内に温水を移送する内部配管２ａ、２ｂ、２ｃ、２ｄと、熱源機から床暖房放熱体２に温水を移送する温水供給用外部配管５ａと、床暖房放熱体２から熱源機に温水を移送する温水排出用外部配管５ｂと、配管穴１ａの位置において温水供給用外部配管５ａと内部配管２ａ、２ｂ、２ｃ、２ｄ（施工例１では２ａ、施工例２では２ａおよび２ｃ）とを接続する第一継手４０ａ、ならびに、温水排出用外部配管５ｂと内部配管２ａ、２ｂ、２ｃ、２ｄ（施工例１では２ｃ、施工例２では２ｂおよび２ｄ）とを接続する第二継手４０ｂを有する床暖房装置を施工する際に該継手が該配管穴に落下するのを防止する治具である。
【００２５】
そして、図９（ａ）〜（ｈ）に示すように、本発明に係る継手の落下防止具７ａ〜７ｈは、厚さが１ｍｍ以下で、長さおよび幅が配管穴１ａの直径よりも大きいシート状物であり、しかも、第一継手４０ａおよび第二継手４０ｂが落下しない大きさの穴７０ａ〜７０ｆまたは切欠き７１ａ〜７１ｇを有する。なお、図９（ａ）、（ｄ）、（ｇ）は、穴のみ、図９（ｂ）、（ｃ）、（ｆ）、（ｈ）は、切欠きのみ、図９（ｅ）は、穴および切欠きの双方を有する例を示している。これらのシート状物７ａ〜７ｈは、下地材の配管穴１ａの上部に載置され、下地材にテープなどで貼り付けられて使用される。
【００２６】
継手の落下防止具としてのシート状物の厚さが、１ｍｍを超えると、その段差によって、床暖房放熱体２を水平に施工することができず、床暖房フロアを施工した場合の歩行感を劣化させる。このため、継手を支えるのに十分な強度を有する範囲で、厚さは薄いことが好ましい。シート状物の材質は、１ｍｍ以下の厚さでも継手を支えるのに十分な強度を有するものであれば、特に制約はない。例えば、樹脂シート、金属シート、紙などの公知の材料を用いることができる。中でも、作業性およびコストの観点から、樹脂シートを用いるのが好ましい。
【００２７】
図９（ａ）、（ｄ）、（ｅ）、（ｇ）に示すように、穴７０ａ〜７０ｆは、第一継手４０ａおよび第二継手４０ｂの垂直部を通すが、第一継手４０ａおよび第二継手４０ｂの水平部を通さない大きさとするのが好ましい。また、図９（ｂ）、（ｃ）、（ｅ）、（ｆ）、（ｈ）に示すように、切欠き７１ａ〜７１ｇは、第一継手４０ａおよび第二継手４０ｂの垂直部を通すが、第一継手４０ａおよび第二継手４０ｂの水平部を通さない大きさとするのが好ましい。これは、第一継手４０ａおよび第二継手４０ｂの垂直部は、下地材の下方で外部配管と接続する必要があるため、穴および切欠きは、これを通すことが好ましく、また、第一継手４０ａおよび第二継手４０ｂの水平部が、穴または切欠きの周辺に引っかかることに継手の落下を防止できるため、これを通さないことが好ましい。
【００２８】
ここで、図４（ａ）、（ｂ）に示すように、継手の垂直部４ｂは、定径部分と、その最下部においてもっとも径が大きくなる最大径部分とを有するが、「垂直部を通す」とは、切欠きの場合、その幅が垂直部４ｂの定形部分の径より大きければよいが、穴の場合、その径が垂直部４ｂの最大径部分よりも大きいことが必要である。ただし、後述のスリットを設ける場合には、切欠きの場合と同様、その幅が垂直部４ｂの定形部分の径より大きければよい。
【００２９】
一方、図４（ａ）に示すように、チーズ継手の水平部４ａの長さは、両側にある接続部４ｃ同士の間隔であり、図４（ｂ）に示すように、エルボ継手の水平部４ａの長さは、頭頂部と接続部４ｃとの間隔である。よって、「水平部を通さない」大きさは、チーズ継手の方がエルボ継手より大きいことになるため、継手の種類によって水平部を通さない大きさが異なるが、実際上は、継手の種類に合わせて各種のシート状物を用意するのではなく、穴の径または切欠きの幅がエルボ継手の水平部４ａの長さより小さいもので足りる。
【００３０】
図９（ｅ）、（ｇ）に示すように、継手の落下防止具としてのシート状物は、穴７０ｄ、７０ｅ、７０ｆといずれかの辺との間に、それぞれスリット７２ａ、７２ｂ、７２ｃを形成したものであることが好ましい。これは、スリットがあれば、継手を穴に挿入しやすいからである。また、スリットがあれば、継手と外部配管とを接続した後でも、継手の垂直部を穴に挿入することができる。
【００３１】
シート状物に形成される穴の形状は、真円でも、楕円でも、多角形状でもよい。また、例えば、図９（ａ）に示すように、穴７０ａは、シート状物７ａの中央付近に一つだけ形成されていても良いが、第一継手４０ａおよび第２継手４０ｂが接触する恐れがある。また、図９（ｈ）に示すように、切欠き７１ｇは、シート状物７ｈの一つの辺から一つだけ形成されていてもよい。この場合、継手をシート状物７ｈの切欠き７１ｇに載置しやすいというメリットがあるが、第一継手４０ａおよび第２継手４０ｂが接触する恐れがある。このため、図９（ｂ）、（ｃ）、（ｄ）、（ｅ）、（ｆ）、（ｇ）に示すように、前記穴または前記切欠きが、第一継手および第二継手が接触しない位置に形成されていることが好ましい。また、図９（ｈ）に示すシート状物７ｈを用いる場合には、第一継手４０ａおよび第２継手４０ｂの間に、養生テープその他を貼り付ければ、両継手の接触を避けることができる。
【００３２】
図９（ｂ）、（ｃ）、（ｆ）に示すように切欠きをシート状物のいずれか二つの辺に形成することもできるが、継手の載置しやすさと、載置後の継手同士の接触を防止する観点からは、図９（ｂ）に示すように、切欠き７１ａ、７１ｂを向かい合う二つの辺にそれぞれ一つずつ形成することが好ましい。
【００３３】
以上は、穴または切欠きを設けたシート状物を継手の落下防止具として用いる場合について述べたが、シート状物にこのような穴または切欠きを設けなくても、例えば、図１０に示すように、配管穴とシート状物とで構成される穴が継手の落下を防止できる構成であればよい。すなわち、配管穴１ａの一部をシート状物７ｉで塞ぐことにより、第一継手４０ａの垂直部を通すが、第一継手４０ａの水平部を通さない第一穴７０ｇと、第二継手４０ｂの垂直部を通すが、第二継手４０ｂの水平部を通さない第二穴７０ｈとを形成する。このようにすれば、配管穴１ａとシート状物７ｉとで構成される穴から継手が落下することがない。
【産業上の利用可能性】
【００３４】
本発明によれば、下地材に比較的大きな配管穴を設け、その配管穴を介して２本の継手によって、２本の内部配管と２本の外部配管とを接続する施工法における施工時に、継手が該配管穴に落下するのを防止することができる。また、この施工法による施工後にかかる継手の接続部と内部配管との間の負荷を軽減することができる。
【符号の説明】
【００３５】
１      下地材
１ａ    配管穴
２      床暖房放熱体
２ａ〜２ｄ  内部配管
２ｅ    継手カバー
２０ａ  床暖房パネル
２０ｂ  床暖房パネル
３      床材
４ａ    水平部
４ｂ    垂直部
４ｃ    接続部
４ｄ    接続部
４０ａ  第一継手
４０ｂ  第二継手
５      外部配管
５ａ    温水供給用外部配管
５ｂ    温水排出用外部配管
６      遮熱管
７ａ〜７ｉ  シート状物（継手落下防止具）
７０ａ〜７０ｆ  穴
７１ａ〜７１ｇ  切欠き
７２ａ〜７２ｃ  スリット
【図１】
0005754050.tif 000002
【図２】
0005754050.tif 000003
【図３】
0005754050.tif 000004
【図４】
0005754050.tif 000005
【図５】
0005754050.tif 000006
【図６】
0005754050.tif 000007
【図７】
0005754050.tif 000008
【図８】
0005754050.tif 000009
【図９】
0005754050.tif 000010
【図１０】
0005754050.tif 000011